【手続補正書】
【提出日】平成19年5月14日(2007.5.14)
【手続補正１】
【補正対象書類名】明細書
【補正対象項目名】発明の名称
【補正方法】変更
【補正の内容】
【発明の名称】ディスク装置および判別制御装置
【手続補正２】
【補正対象書類名】明細書
【補正対象項目名】特許請求の範囲
【補正方法】変更
【補正の内容】
【特許請求の範囲】
【請求項１】  ディスク種類の判別動作を順次行う判別手段と、
再生又は記録が行われるディスク種類を予想し、予想結果に基づいて、前記判別手段のディスク種類判別動作の順序を決定する判別制御手段とを備えることを特徴とするディスク装置。
【請求項２】  前記判別制御手段は、再生又は記録が行われる可能性が大きいディスク種類の判別動作を最後に行わせることを特徴とする請求項１記載のディスク装置。
【請求項３】  ディスクの各種類に対応するレーザ光を照射する複数のレーザ源を備え、
前記判別手段は、前記判別動作では、前記複数のレーザ源を順次駆動することを特徴とする請求項１又は２に記載のディスク装置。
【請求項４】  前記判別手段によるディスク種類の判別後、再生又は記録動作が行えないことを検出する検出手段と、
前記再生又は記録動作が行えない場合、前記レーザ源を切り替えて再生又は記録動作を行わせる再生記録制御手段とを備えることを特徴とする請求項３記載のディスク装置。
【請求項５】  ディスク種類の判別動作を順次行う判別手段に判別動作指示を出力する判別制御装置であって、
再生又は記録が行われるディスク種類を予想し、予想結果に基づいて、前記判別手段のディスク種類判別動作の順序を決定することを特徴とする判別制御装置。
【請求項６】  ディスク種類の判別動作を順次行う判別手段と、
過去の再生又は記録状況に応じて、前記判別手段のディスク種類判別動作の順序を決定する判別制御手段とを備えることを特徴とするディスク装置。
【手続補正３】
【補正対象書類名】明細書
【補正対象項目名】０００１
【補正方法】変更
【補正の内容】
【０００１】
【発明の属する技術分野】
本発明は、光ディスクおよび光磁気ディスクなどのディスクの再生または記録のいずれか少なくとも一方を行うためのディスク装置および判別制御装置に関する。
【手続補正４】
【補正対象書類名】明細書
【補正対象項目名】０００４
【補正方法】変更
【補正の内容】
【０００４】
【発明が解決しようとする課題】
本発明の目的は、ＣＤ，ＤＶＤなどの光ディスクおよび光磁気ディスクなどの複数種類のディスクが共用されて再生または記録の少なくともいずれか一方が行われるディスク装置において、ディスクの種類の自動的な判別を行って迅速に再生または記録を行うことができるようにしたディスク装置および判別制御装置を提供することである。
【手続補正５】
【補正対象書類名】明細書
【補正対象項目名】０００５
【補正方法】変更
【補正の内容】
【０００５】
【課題を解決するための手段】
本発明は、ディスク種類の判別動作を順次行う判別手段と、
再生又は記録が行われるディスク種類を予想し、予想結果に基づいて、前記判別手段のディスク種類判別動作の順序を決定する判別制御手段とを備えることを特徴とするディスク装置である。
【手続補正６】
【補正対象書類名】明細書
【補正対象項目名】０００６
【補正方法】変更
【補正の内容】
【０００６】
本発明に従えば、判別手段は、ディスク種類の判別動作を順次行い、判別制御手段は、再生又は記録が行われるディスク種類を予想し、予想結果に基づいて、判別手段のディスク種類判別動作の順序を決定する。これによって、再生又は記録が行われるディスク種類として判別制御手段によって予想されたディスク種類に対応する判別動作が判別手段によって実行され、そのディスク種類が判別されたとき、そのディスク種類の判別動作をそのまま継続して再生又は記録の動作に移行することができるので、前述の先行技術に関連して述べた各種類毎のディスクの起動動作を、たとえば２回、行う必要がなくなる。したがってディスクの再生又は記録にあたり、起動に要する時間を短縮することができる。
【手続補正７】
【補正対象書類名】明細書
【補正対象項目名】０００７
【補正方法】変更
【補正の内容】
【０００７】
また本発明は、前記判別制御手段は、再生又は記録が行われる可能性が大きいディスク種類の判別動作を最後に行わせることを特徴とする。
【手続補正８】
【補正対象書類名】明細書
【補正対象項目名】０００８
【補正方法】変更
【補正の内容】
【０００８】
本発明に従えば、判別制御手段は、ディスクの各種類に対応する前述の判別動作のうち、再生又は記録が行われる可能性が大きいディスク種類に対応する判別動作を、複数の時間順次的な判別動作の実行にあたり、最後に実行させる。したがって判別された種類が、再生又は記録が行われる可能性が大きいディスク種類に一致しているとき、最後に実行された判別動作をそのまま継続して再生または記録の動作に移行することができ、前述の先行技術に関連して述べた各種類毎のディスクの起動動作を、たとえば２回、行う必要がなくなる。たとえば再生又は記録が行われる可能性が大きいディスクが、ＤＶＤであって、このＤＶＤが装填されてＤＶＤの種類が判別されたとき、ＤＶＤに対応するレーザ源が、種類判別のために最後に駆動され、そのＤＶＤに対応するレーザ源がそのまま駆動された状態で、再生又は記録動作を引続き行うことができる。したがって使用頻度が高いディスクの再生又は記録にあたり、起動に要する時間を短縮することができる。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】変更
【補正の内容】
【００１０】
また本発明は、ディスクの各種類に対応するレーザ光を照射する複数のレーザ源を備え、
前記判別手段は、前記判別動作では、前記複数のレーザ源を順次駆動することを特徴とする。
【手続補正１１】
【補正対象書類名】明細書
【補正対象項目名】００１１
【補正方法】変更
【補正の内容】
【００１１】
本発明に従えば、複数のレーザ源は、ディスクの各種類に対応するレーザ光を照射し、判別手段は、判別動作では、複数のレーザ源を順次駆動する。これによって各レーザ源からのレーザ光を、種類が判別されるべきディスクに照射して種類の判別動作を行うことができる。したがってディスクの反射率が近似していても、種類判別を正確に行うことができるようになる。また本発明では、ディスクの厚み方向片側に単層の記録層が形成された単層ディスクと、複数層の記録層が形成された多層ディスクの種類の判別をも行うことができる。
【手続補正１２】
【補正対象書類名】明細書
【補正対象項目名】００１２
【補正方法】変更
【補正の内容】
【００１２】
また本発明では、判別手段では、ディスクの種類に対応したレーザ源が用いられて、ディスクの種類が判別されるだけでなく、そのほかの構成によって、たとえばディスクの種類に対応した焦点距離を有する対物レンズを選択的に用いて共通のレーザ源からのレーザ光をディスクに照射する構成、およびそのほかの構成に関連してもまた、本発明は実施される。
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】変更
【補正の内容】
【００１４】
また本発明は、前記判別手段によるディスク種類の判別後、再生又は記録動作が行えないことを検出する検出手段と、
前記再生又は記録動作が行えない場合、前記レーザ源を切り替えて再生又は記録動作を行わせる再生記録制御手段とを備えることを特徴とする。
【手続補正１５】
【補正対象書類名】明細書
【補正対象項目名】００１５
【補正方法】変更
【補正の内容】
【００１５】
本発明に従えば、検出手段は、判別手段によるディスク種類の判別後、再生又は記録動作が行えないことを検出し、再生記録制御手段は、再生又は記録動作が行えない場合、レーザ源を切り替えて再生又は記録動作を行わせる。これによってディスクの種類の判別が誤りであっても、ディスクの再生又は記録を行うことができる。
【手続補正１６】
【補正対象書類名】明細書
【補正対象項目名】００１６
【補正方法】変更
【補正の内容】
【００１６】
また本発明は、ディスク種類の判別動作を順次行う判別手段に判別動作指示を出力する判別制御装置であって、
再生又は記録が行われるディスク種類を予想し、予想結果に基づいて、前記判別手段のディスク種類判別動作の順序を決定することを特徴とする判別制御装置である。
【手続補正１７】
【補正対象書類名】明細書
【補正対象項目名】００１７
【補正方法】変更
【補正の内容】
【００１７】
本発明に従えば、再生又は記録が行われるディスク種類を予想し、予想結果に基づいて、判別手段のディスク種類判別動作の順序を決定し、ディスク種類の判別動作を順次行う判別手段に判別動作指示を出力する。これによって、再生又は記録が行われるディスク種類として予想されたディスク種類に対応する判別動作が判別手段によって実行され、そのディスク種類が判別されたとき、そのディスク種類の判別動作をそのまま継続して再生又は記録の動作に移行することができるので、前述の先行技術に関連して述べた各種類毎のディスクの起動動作を、たとえば２回、行う必要がなくなる。したがってディスクの再生又は記録にあたり、起動に要する時間を短縮することができる。
【手続補正１８】
【補正対象書類名】明細書
【補正対象項目名】００１８
【補正方法】変更
【補正の内容】
【００１８】
また本発明は、ディスク種類の判別動作を順次行う判別手段と、
過去の再生又は記録状況に応じて、前記判別手段のディスク種類判別動作の順序を決定する判別制御手段とを備えることを特徴とするディスク装置である。
【手続補正１９】
【補正対象書類名】明細書
【補正対象項目名】００１９
【補正方法】変更
【補正の内容】
【００１９】
本発明に従えば、判別手段は、ディスク種類の判別動作を順次行い、判別制御手段は、過去の再生又は記録状況に応じて、判別手段のディスク種類判別動作の順序を決定する。これによって、たとえば使用頻度が高いディスク種類に対応する判別動作が判別手段によって実行され、そのディスク種類が判別されたとき、そのディスク種類の判別動作をそのまま継続して再生又は記録の動作に移行することができるので、前述の先行技術に関連して述べた各種類毎のディスクの起動動作を、たとえば２回、行う必要がなくなる。したがってディスクの再生又は記録にあたり、起動に要する時間を短縮することができる。
【手続補正２０】
【補正対象書類名】明細書
【補正対象項目名】００２０
【補正方法】削除
【補正の内容】
【手続補正２１】
【補正対象書類名】明細書
【補正対象項目名】００３１
【補正方法】変更
【補正の内容】
【００３１】
処理回路５３には、メモリ手段５５が備えられる。メモリ手段５５は、個別的なメモリＭ１〜Ｍ３を備える。処理回路５３は、判別手段、判別制御手段、検出手段および再生記録制御手段として機能する。また処理回路５３は、判別制御装置として機能する。
【手続補正２２】
【補正対象書類名】明細書
【補正対象項目名】００５０
【補正方法】変更
【補正の内容】
【００５０】
【発明の効果】
請求項１の本発明によれば、判別手段は、ディスク種類の判別動作を順次行い、判別制御手段は、再生又は記録が行われるディスク種類を予想し、予想結果に基づいて、判別手段のディスク種類判別動作の順序を決定するので、再生又は記録が行われるディスク種類として判別制御手段によって予想されたディスク種類に対応する判別動作が判別手段によって実行され、そのディスク種類が判別されたとき、そのディスク種類の判別動作をそのまま継続して再生または記録の動作に移行することができ、ディスクの再生または記録動作の開始までの時間を短縮することができる。
【手続補正２３】
【補正対象書類名】明細書
【補正対象項目名】００５１
【補正方法】変更
【補正の内容】
【００５１】
請求項２の本発明によれば、判別制御手段は、ディスクの各種類に対応する前述の判別動作のうち、再生又は記録が行われる可能性が大きいディスク種類に対応する判別動作を、最後に行わせるので、その再生又は記録が行われる可能性が大きい種類のディスクの再生又は記録動作の開始までの時間を短縮することができる。
【手続補正２４】
【補正対象書類名】明細書
【補正対象項目名】００５２
【補正方法】変更
【補正の内容】
【００５２】
請求項３の本発明によれば、複数のレーザ源は、ディスクの各種類に対応するレーザ光を照射し、判別手段は、判別動作では、複数のレーザ源を順次駆動するので、ディスクの反射率が近似していても、種類判別を正確に行うことができる。
【手続補正２５】
【補正対象書類名】明細書
【補正対象項目名】００５３
【補正方法】削除
【補正の内容】
【手続補正２６】
【補正対象書類名】明細書
【補正対象項目名】００５４
【補正方法】変更
【補正の内容】
【００５４】
請求項４の本発明によれば、ディスクの種類の判別を行った後、その判別されたディスクの再生又は記録動作が行えないことを検出手段が検出したときには、再生記録制御手段がレーザ源を切り替えて再生又は記録動作を行わせるので、ディスクの種類の判別が誤りであっても、ディスクの再生又は記録動作を行うことができる。
【手続補正２７】
【補正対象書類名】明細書
【補正対象項目名】００５５
【補正方法】変更
【補正の内容】
【００５５】
請求項５の本発明によれば、再生又は記録が行われるディスク種類を予想し、予想結果に基づいて、判別手段のディスク種類判別動作の順序を決定し、ディスク種類の判別動作を順次行う判別手段に判別動作指示を出力するので、再生又は記録が行われるディスク種類として予想されたディスク種類に対応する判別動作が判別手段によって実行され、そのディスク種類が判別されたとき、そのディスク種類の判別動作をそのまま継続して再生又は記録の動作に移行することができ、ディスクの再生又は記録動作の開始までの時間を短縮することができる。
【手続補正２８】
【補正対象書類名】明細書
【補正対象項目名】００５６
【補正方法】変更
【補正の内容】
【００５６】
請求項６の本発明によれば、判別手段は、ディスク種類の判別動作を順次行い、判別制御手段は、過去の再生又は記録状況に応じて、判別手段のディスク種類判別動作の順序を決定するので、たとえば使用頻度が高いディスク種類に対応する判別動作が判別手段によって実行され、そのディスク種類が判別されたとき、そのディスク種類の判別動作をそのまま継続して再生又は記録の動作に移行することができ、ディスクの再生又は記録動作の開始までの時間を短縮することができる。